Podtech/llm-jp-corpus-v4-ja_patent huggingface dataset:
(57)【要約】      （修正有）【課題】使用したい電圧だけを充電することができる充電器（バッテリーチャージャー）を提供する。【解決手段】充電器に充電具合がわかる電圧メーター７を付ける。【効果】バッテリーに、どれくらい充電しているか、充電されているかがわかり、使用する回数（時間）が前もってわかっていれば、それにあわせた充電をすることができる。そのため、自然放電も考える必要もなくなり、バッテリーの破棄することが少なくなり、環境問題においても貢献する製品となる。【選択図】図３
2012191818.tif 000002
【特許請求の範囲】
【請求項１】
上述したように本発明の充電器（バッテリーチャージャー）は、現在どれくらいの電圧が残っているかを示すとともに、使用したい電圧だけを充電することができる。これによって、バッテリー自身を長持ちさせることもできる。また、むやみにバッテリーを廃棄することが少なくなり、環境問題への対策につながる。
【発明の詳細な説明】
【技術分野】
【０００１】
本発明は、従来の充電器に充電具合がわかるメーター機能を付けた器具に関する。
【背景技術】
【０００２】
従来の充電器で、デジタルカメラなど電気器具を動かす充電器は、フル充電されたときにランプがついたりする（または、充電終了とともにランプが消える）機能はついているが、５０％程度充電されたとか、７０％程度充電されたとか、または、現在の充電具合は２０％程度であるということがわからない。そのため、そのまま充電して放置しておくとバッテリー自身で自然放電され、使用できないようになる場合がある。
【特許文献１】特許公開平８−１６８１８６    特許公開２００５−２６５５０９                特許公開２００６−７３４８５
【０００３】
しかし、それでは、バッテリーが傷みやすくなり、早く消耗してしまう。
また、フル充電せずに使用したい電気の量だけを充電することバッテリーの傷みが少ない。
【０００４】
充電器にバッテリーをセットし、コンセントにつなぐことによって、現在このバッテリーがどれくらいの電気が残存されているかを知るかによって、どれくらい電力が供給できるかがわかり、デジタルカメラなど電気器具を使用するにおいても便利である。 
【０００５】
そのためにも、充電器（バッテリーチャージャー）に電圧の残量を示すメーターを付けることによって解消される。
【発明の概要】
【発明が解決しようとする課題】
【０００６】
従来の充電器（バッテリーチャージャー）では、電圧の残量を示すメーターが付いていないため、どれだけ使用できるかがわかりにくい。また、自然放電されたバッテリーは、使用できないか、使用しづらくなる。
【課題を解決するための手段】
【０００７】
本発明は、このような従来の充電器（バッテリーチャージャー）の有した問題を解決しようとするものであり、使用したい電圧量だけ充電ができるという電圧の残量を示すメーターを付けたものである。
【発明の効果】
【０００８】
上述したように本発明の充電器（バッテリーチャージャー）は、現在どれくらいの電圧が残っているかを示すとともに、使用したい電圧だけを充電することができる。これによって、バッテリー自身を長持ちさせることもできる。
【図面の簡単な説明】
【０００９】
【図１】電圧メーターが付いた充電器（針で認識。充電の具合を％で表示）
【図２】電圧メーターが付いた充電器（ランプで認識。充電の具合を％で表示）
【図３】電圧メーターが付いた充電器（数字で認識。充電の具合を％で表示）
【符号の説明】
【００１０】
１・充電器電圧メーター（アナログ方式）
２・充電完了ランプ
３・バッテリー挿入位置
４・充電器電圧メーター（ランプ方式）
例：      ０〜５０％  青(緑)色で表示
５０〜８０％  黄色で表示
８０〜１００％  赤で表示
５・充電完了ランプ
６・バッテリー挿入位置
７・充電器電圧メーター（デジタル方式）
８・充電完了ランプ
９・バッテリー挿入位置
【発明を実施するための形態】
【００１１】
1．充電器電圧メーターが付いている。（針で認識）
２．充電器電圧メーターが付いている。（ランプで認識）
３．充電器電圧メーターが付いている。（数字で認識）
【実施例】
【００１２】
バッテリーを充電するとき、使用する電圧を考慮し、充電量をそれにあわせて充電することができる。
【産業上の利用可能性】
【００１３】
バッテリー自身の消耗が加減されることにより、バッテリーを廃棄することが少なくなり、環境問題にも対応できる。
【図１】
2012191818.tif 000003
【図２】
2012191818.tif 000004
【図３】
2012191818.tif 000005
(57)【要約】      （修正有）【課題】男性が使用する小便器近傍の床面に尿が飛散することを防止する。【解決手段】尿が飛散させない単純な方法は、小便器にできるだけ近寄って放尿することである。単純に考えれば、小便器と小便をする者の距離が遠いほど、尿が飛散し易いと考えられる。しかし、あまり近寄りすぎると小便器に小便が付いていたりすることもあってできるだけ離れたい。それならば、小便するときの立つ位置を決めてマーク１，２をしておくことで尿の飛散を防止する。【選択図】図２
2012024446.tif 000002
【特許請求の範囲】
【請求項１】
尿自身が飛散することなく、床が清潔に保つことにより、家庭でのトラブルが解消される。公衆トイレなどにおいても小便器を使用する者も安心して清潔にしようできる。また、清掃する者も不快感を感じずに清掃活動ができる「男性用小便器の床を綺麗な状態で使用するための立ち位置指定マーク」。
【発明の詳細な説明】
【技術分野】
【０００１】
本発明は使用者と小便器間の距離を適正に保つことにより、小便器近傍の床面に尿が  飛散することを防止することができ、使用者に使いやすい小便用トイレを維持するため  の装置・手段・方法である。
【背景技術】
【０００２】
男性が使用する小便器近傍の床面は、尿が飛散していることが多く特に不特定多数が  使用する公衆トイレなどは汚く足場がない状態が稀とはいえない。オランダ（アムステルダム）スキポール国際空港で小便をしているとき、小便器内にハエの絵が描かれていた。当初、絵とは思えないくらい鮮明な絵であるため驚いたが、いつの間にかその描かれたハエに向かって放尿していた。また、あるテレビ番組で小便器に『的』のシールを貼ることによって尿が飛散することを防止することを考えたセールスマンの話が放送されていた。
【特許文献１】特許公開２００４−１１６２４５
【特許文献２】特許公開２００５−２４０５２６
【特許文献３】特許公開２００８−２９７８３３
【特許文献４】特許公開２００９−７４３００
【０００３】
しかし、そのようなものがあっても尿の飛散はある。そこで、コストもかからず、しか も尿の飛散を防止するためのものを考えようとした。
また、尿の跳ね返りを、より少なくし、跳ね返った尿により小便器の周りの床が汚れる ことを防止する最も単純なことは何だろうかと考えた。
【特許文献５】特許公開２００５−２４０５２６
【０００４】
小便器用マトを各自で製作するのも手間がかかる。
【特許文献６】特許公開２００４−１１６２４５
【０００５】
小便器用足位置決め具を設置するのもめんどうである。
【特許文献７】特許公開２００３−４７５７６
【発明の概要】
【発明が解決しようとする課題】
【０００６】
尿が飛散すると、家庭において女性には理解ができにくいため、家庭でのトラブルの原 因にもなる。公衆トイレなどにおいても、清潔さが保たれないと、小便器を使用する者だ けでなく、清掃する者も不快感を感じる。
【課題を解決するための手段】
【０００７】
尿自身が飛散することなく、床が清潔に保つことができる。すでに使用している小便器 内に「的」を設置することよりも無理なく・違和感なく設置することができる。また、最 初から（新築・改築時）設置するため同様に無理なく・違和感なく設置することができる。 さらに、立ち位置をデザインしたシートを作成することにより、最初から（新築・改築時）設置する必要もなく簡単・便利に設置することができる。
【発明の効果】
【０００８】
尿自身が飛散することなく、床が清潔に保つことにより、家庭でのトラブルが解消される。公衆トイレなどにおいても小便器を使用する者も安心して清潔にしようできる。また、清掃する者も不快感を感じずに清掃活動ができる。
【図面の簡単な説明】
【０００９】
【図１】立つ位置の床に「足跡」をかたどったものを設置した小便器
【図２】立つ位置の床に「靴跡」をかたどったものを設置した小便器
【符号の説明】
【００１０】
１：立つ位置の床に「足跡」をかたどったシールまたは、ペインティングなどの左足
２：立つ位置の床に「足跡」をかたどったシールまたは、ペインティングなどの右足
【発明を実施するための形態】
【００１１】
１．立つ位置の床に「足跡」をかたどったシールまたは、ペインティングをする。
２．立つ位置の床に「足跡」をかたどったタイルなどを新築・改築時にはる。
３．トイレマットなどに「足跡」をかたどった絵を描いておき、それを設置する。
４．その他、立ち位置を描いたシートを作成し、それを設置する。
【実施例】
【００１２】
「足跡」「靴跡」をかたどったシール・ペインティング・タイルなどがあることにより無意識のうちに放尿をする前に立つことができる。また、トイレの色・デザインによって「足跡」を色彩豊かな色にする。また、単純に「足跡」「靴跡」の形ではなく、○や□、△といった形、あるいは絵を描く（マンガのキャラクター）、「ここに立つ」などの文字によって、トイレ内の雰囲気を壊すことなく、落ち着いて放尿することができる。洗剤の使用も少なくて済むため環境に優しい。
【産業上の利用可能性】
【００１３】
新築・改築時において「足跡」「靴跡」をかたどったタイルなど設置することにより、工務店などが賢明なトイレの設置についての提案ができる。また、「足跡」「靴跡」「キャラクター」などが描かれたマットやシートを販売することにより、興味深く購入するようになる。
【図２】
2012024446.tif 000003
【図１】
2012024446.tif 000004
(57)【要約】      （修正有）【課題】心に余裕をもって施錠解錠作業ができるように、鍵を手で握っていなくても落とさずしかも手元に保持できる、手首や指にきわめて容易に着脱できてずり落ちないキーホルダーの提供。【解決手段】手首や指に容易に着脱可能でずり落ちないキーホルダーであって、その一例として、髪を束ねたり髪飾りによく使われるシュシュのように、布等でくるまれたゴムの輪１に、キーホルダー用金具２を取り付けられるように構成した。【選択図】図１
2012024430.tif 000002
【特許請求の範囲】
【請求項１】
手首もしくは指を挿通させた後はずり落ちない、弾性部材によるリング状の本体に、キーホルダー用金具を取り付けられるように構成したことを特徴とするキーホルダー。
【請求項２】
手首もしくは指を挿通させた後はずり落ちない、弾性部材等による一部開放されたリング状の本体に、キーホルダー用金具を取り付けられるように構成したことを特徴とするキーホルダー。
【請求項３】
手首もしくは指を挿通させた後はずり落ちない、シュシュ状の本体に、キーホルダー用金具を取り付けられるように構成したことを特徴とするキーホルダー。
【請求項４】
手首もしくは指を挿通させた後はずり落ちない、二重の紐にスライドする止め具を通した後二重の紐の両端を結んだ本体に、キーホルダー用金具を取り付けられるように構成したことを特徴とするキーホルダー。
【請求項５】
手首もしくは指を挿通させた後はずり落ちない、手首もしくは指を挿通させられる程の穴を有する糸を編んだ編み物の本体に、キーホルダー用金具を取り付けられるように構成したことを特徴とするキーホルダー。
【発明の詳細な説明】
【技術分野】
【０００１】
本発明は、カバン等に入れて持ち歩く家の鍵や自動車の鍵等に付けるキーホルダーに関する。
【背景技術】
【０００２】
従来、キーホルダーは皮や高価な材料を使って頑丈に美しく目立つように作られたり、鍵を収納できるような構造に作られたりして、鍵そのものを大切にするという考え方が強く表れた物がほとんどであると言えよう。しかし、近年になって特殊な用途ではあるが、スポーツジム等のロッカーの鍵を手首や足首に保持するためのベルト式のキーホルダーが知られている。
【先行技術文献】
【特許文献】
【０００３】
【特許文献１】特開２００６−０６１５７１号公報
【発明の概要】
【発明が解決しようとする課題】
【０００４】
しかしながら、特開２００６−０６１５７１号公報に記載されたキーホルダー保持バンドはファッションベルトのような構造のものであり、着脱するのにちょっとした注意と手間がかかり、ごく簡単には着脱できないという問題がある。
【０００５】
従って、本発明は、手首もしくは指にごく簡単に着脱できてずり落ちない構造を持たせることによって、手元に鍵を保持し手で握っていなくても落とさないキーホルダーを提供することを目的としている。  
【課題を解決するための手段】
【０００６】
上述した課題を解決するために、本発明は、弾性部材等を使用した輪状もしくは一部開いた輪状の構造であったり、穴を有する構造であったり、紐と止め具を組み合わせた構造であったりする。そして、手首等に容易に着脱できてずり落ちないことを特徴とする。
【発明の効果】
【０００７】
本発明のキーホルダーによれば、手首等に容易に着脱できてずり落ちないので、手で握らなくても手元に鍵があり、落とす心配がないので安心して施錠解錠ができる。夜中の暗い時や、荷物をいっぱい提げている時、体の不自由な方や高齢の方にとって極めて有効である。蛍光素材やLEDを採用すれば手元を明るくできて見えやすくなるのでもっと使い勝手は向上するであろう。制電素材を採用すれば、静電気の発生を防げるであろう。
【図面の簡単な説明】
【０００８】
【図１】本発明の実施形態を示すシュシュ状のキーホルダーの斜視図である。
【図２】本発明の実施形態を示す輪状のキーホルダーの斜視図である。
【図３】本発明の実施形態を示す一部開放された輪状のキーホルダーの斜視図である。
【図４】本発明の実施形態を示す紐と止め具によりなるキーホルダーの斜視図である。
【図５】本発明の実施形態を示す穴を有する形状のキーホルダーの斜視図である。
【発明を実施するための形態】
【０００９】
以下、本発明の実施の形態を図１〜図５に基づいて説明する。
【００１０】
図１に示すように、本発明の実施形態によるキーホルダーは、髪飾りに使うシュシュのように布等でくるまれたゴムの輪に、手首等を通すことを特徴とする請求項１・請求項３のキーホルダー。制電素材を使えば静電気の発生を防げるであろう。LEDや蛍光材を採用すれば夜暗いときに有効であろう。キーホルダー用金具を取り付けて使用する。
【００１１】
図２に示すように、本発明の実施形態によるキーホルダーは、バネの輪に手首等を通すことを特徴とする請求項１のキーホルダー。バネの他に糸をゴム編みにしたもの、伸縮する時計バンド等も考えられる。キーホルダー用金具を取り付けて使用する。
【００１２】
図３に示すように、本発明の実施形態によるキーホルダーは、腕輪にあるような一部開放された輪の中に手首等を通すことを特徴とする請求項２のキーホルダー。柔軟性のある素材であれば二重巻三重巻でもよいであろう。また、針金や形状記憶合金等の折り曲げ自在の素材を使用したものも考えられる。キーホルダー用金具を取り付けて使用する。
【００１３】
図４に示すように、本発明の実施形態によるキーホルダーは、二重の紐にスライドする止め具を組み合わせたもので、止め具を端に動かし紐の輪に手首等を通すことを特徴とする請求項４のキーホルダー。輪の大きさを調整するには止め具を動かせばよい。キーホルダー用金具を取り付けて使用する。
【００１４】
図５に示すように、本発明の実施形態によるキーホルダーは、糸を格子状に編んでできた穴の中に手首や指を通すことを特徴とする請求項５のキーホルダー。他にもいろいろな編み方があろう。布に穴が開いているもの、またそのように構成されたものも考えられる。キーホルダー用金具を取り付けて使用する。
【符号の説明】
【００１５】
１        布等でくるまれたゴムの輪
２        キーホルダー用金具を取り付ける箇所
３        バネ
４        一部開放された輪
５        二重の紐
６        止め具
７        糸を格子状に編んだもの
【図１】
2012024430.tif 000003
【図２】
2012024430.tif 000004
【図３】
2012024430.tif 000005
【図４】
2012024430.tif 000006
【図５】
2012024430.tif 000007
(57)【要約】      （修正有）【課題】口を動かすことによって、健康の源である唾液と気を出すツボと部位を刺激して、気（元気、栄気、生気）を作り出す健康・美容機器である気功機を提供する。【解決手段】気の源である口を動かすことによって、（１）の部分にて、口腔内の健康の源である唾液と気を出すツボと部位（１）を刺激することができ、さらに（２）（３）の部分にて、口腔外の健康の源である唾液と気を出すツボと部位を刺激することができる構成とする。【選択図】図２
2012024559.tif 000002
【特許請求の範囲】
【請求項１】
気の源である口を動かす事によって、健康の源である唾液と気を出すツボと部位を刺激する刺激子（１）（２）（３）を付けた健康・美容機器である気功機。
【発明の詳細な説明】
【技術分野】
【０００１】  本発明は、口を動かして唾液と気を出すツボと部位を刺激して気（元気、栄気、生気）を作り出す健康・美容機器である、気功機に関するものである。
【背景技術】
【０００２】  従来、口を動かして唾液と気を出すツボと部位を刺激して気（元気、栄気、生気）を作り出す健康・美容機器はなかった。
【発明の概要】
【発明が解決しようとする課題】
【０００３】  ガンや糖尿病など万病は健康の源である唾液が不足する事によってもおこる。
気（元気、栄気、生気）の流れは口より始まり口で終わる。
気の源である口を動かすことで、健康の源である唾液と気を出すツボと部位を刺激して気（元気、栄気、生気）を作り出す健康・美容機器はなかった。
気功法、呼吸法や太極拳などに応用し、体の健康・美容に寄与する機器はなかった。
本発明は、以上の問題点を解決するために発明されたものである。
【課題を解決しようとする手段】
【０００４】  図のように気の源・口を動かすことによって、（１）にて口腔内の唾液と気を出すツボと部位を刺激し、（２）（３）で口腔外の唾液と気を出すツボと部位を刺激して、気功機を保持し、健康の源である唾液と気を出す。本発明は、以上の構成よりなる気功機。
【発明の効果】
【０００５】  唾液はガンなどの万病を防ぐ健康の源である。又、発生学では脳、肺、心臓などの臓器は口から発生した。口は臓器の源であると同時に気の源である。その口を動かし健康の源である唾液と気を出すツボと部位を刺激することによって気（元気、栄気、生気）を作り出し、体の健康・美容に寄与する。そして気功法、呼吸法、太極拳やヨガ等に応用する。
【図面の簡単な説明】
【０００６】
【図１】  本発明の斜視図である。
【図２】  本発明の断面図である。
【図３】  上の口腔に保持を求めるマウス式。
【図４】  マウス式の簡易型。
【図５】  上の口腔と下の口腔が別々のマウス式。
【図６】  顎に保持を求めるチン式。
【図７】  頭に保持を求めるキャップ式。
【図８】  キャップ式の簡易型。
【発明を実施するための形態】
【０００７】  以下、本発明の実施の形態を説明する。
（１）にて唾液と気を出すツボと部位を口腔内より刺激する。
（２）にて唾液と気を出すツボと部位を口腔外より刺激し、内外より気功機を保持する。
（３）にて唾液と気を出すツボと部位を口腔外より刺激する。
本発明は、以上のような構造である。
なお、気功機の保持の仕方で
口腔に保持を求めるマウス式［図１］［図２］［図３］［図４］［図５］
顎に保持を求めるチン式［図６］
頭に保持を求めるキャップ式［図７］［図８］。
また、唾液と気を出すツボと部位の刺激の仕方で
光や熱や圧、超音波、電気、磁気などのによる方法も併せれば、より効果が上がる。
【符号の説明】
【０００８】１    口腔内刺激子
２    口腔外刺激子
３    口腔外刺激子
【図１】
2012024559.tif 000003
【図２】
2012024559.tif 000004
【図３】
2012024559.tif 000005
【図４】
2012024559.tif 000006
【図５】
2012024559.tif 000007
【図６】
2012024559.tif 000008
【図７】
2012024559.tif 000009
【図８】
2012024559.tif 000010
(57)【要約】【課題】  口を動かすことによって、健康の源である唾液を出すツボと部位を刺激して、気（元気、栄気、生気）を作り出す健康・美容機器である気功機を提供する。【解決手段】  気の源・口を動かすことによって、健康の源である唾液を出すツボと部位を刺激する事を特徴とする。【選択図】図２
2012024556.tif 000002
【特許請求の範囲】
【請求項１】
気の源・口を動かす事によって、健康の源・唾液を出すツボと部位を刺激する刺激子（１）（２）（３）を付けた体の健康・美容機器である気功機。
【発明の詳細な説明】
【技術分野】
【０００１】  口を動かして唾液を出すツボと部位を刺激して気（元気、栄気、生気）を作り出す健康・美容機器の気功機に関するものである。
【背景技術】
【０００２】  従来、口を動かして唾液を出すツボと部位を刺激して気（元気、栄気、生気）を作り出す健康・美容機器はなかった。
【発明の概要】
【発明が解決しようとする課題】
【０００３】  ガンや糖尿病など万病は健康の源である唾液が不足する事によってもおこる。
気（元気、栄気、生気）の流れは口より始まり口で終わる。
気の源・口を動かすことで、健康の源である唾液を出すツボと部位を刺激して気（元気、栄気、生気）を作り出す、体の健康・美容機器はなかった。
気功機のように気功法、呼吸法や太極拳などにも応用できる健康・美容機器が望まれた。
本発明は以上の点から発明されたものである。
【課題を解決しようとする手段】
【０００４】  図のように気の源・口を動かすことによって、（１）（２）にて舌下，顎下の唾液を出すツボと部位を内外より刺激し、気功機を保持する。（３）で耳下の唾液を出すツボと部位を刺激して健康の源である唾液を出す。本発明は、以上の構成よりなる気功機である。
【発明の効果】
【０００５】  唾液はガンなどの万病を防ぐ健康の源である。又、発生学では脳、肺、心臓などの臓器は口から発生した。そして気（元気、栄気、生気）の流れは口より始まり口で終わる。
口は臓器の源であると同時に気の源である。その口を動かし、健康の源である唾液を出す事によって気（元気、栄気、生気）を作り出し、体の健康・美容に寄与する。
そして、気功法、呼吸法や太極拳などに応用できる。
【図面の簡単な説明】
【０００６】
【図１】  本発明の斜視図である。
【図２】  本発明の断面図である。
【図３】  頭に保持を求めるキャップ式。
【図４】  舌下・顎下刺激子（耳下刺激子）付きの簡易型マウス式。
【図５】  上の口唇（顎）に保持を求めるマウス式。
【図６】  舌下・顎下刺激子（耳下刺激子）付きの上の口に保持を求めるマウス式。
【図７】  上顎（上唇）と下顎（下唇）が別々のマウス式。
【図８】  顎に保持を求めるチン式。
【発明を実施するための形態】
【０００７】以下、本発明を実施するための形態について説明する。
（１）にて唾液を出す舌下，顎下のツボと部位を内側より刺激する。
（２）にて唾液を出す舌下，顎下のツボと部位を外側より刺激し、内外より気功機を保持する。
（３）にて唾液を出す耳下のツボと部位を刺激する。
本発明は、以上のような構造である。
なお、気功機の保持の仕方で
頭に保持を求めるキャップ式［図３］
口に保持を求めるマウス式［図４］［図５］［図６］［図７］
顎に保持を求めるチン式［図８］。
また、唾液腺の刺激の仕方で
光や熱や圧、超音波、電気、磁気などのによる方法も併せて、唾液を出す健康・美容器を気功機として特許を申請致します。
【符号の説明】
【０００８】１    舌下・顎下刺激子
２    舌下・顎下刺激子
３    耳下刺激子
【図１】
2012024556.tif 000003
【図２】
2012024556.tif 000004
【図３】
2012024556.tif 000005
【図４】
2012024556.tif 000006
【図５】
2012024556.tif 000007
【図６】
2012024556.tif 000008
【図７】
2012024556.tif 000009
【図８】
2012024556.tif 000010
(57)【要約】【課題】  スポンジの洗剤を流し出すのには、水を流しながら手で握り締めて強く力を入て取り出していた。    本発明は、搾り具でスポンジに注入した洗剤を、取り除くために提供する。【解決手段】  洗剤を取り除くために、搾り具を使用することで、全面を押して搾ることが出来る。【選択図】図１
2012024522.tif 000002
【特許請求の範囲】
【請求項１】
錆びにくい材質の金属又はプラスチック材等で上下２枚の網状を形成し上網と下網を一辺において結合させ、結合部において両網は接着するではなく、５ミリ程のすき間を持ち対向辺側は開口状にすることを特徴とする食器洗いスポンジ搾り具。
【請求項２】
結合部辺近くの上網側に永久磁石を復数取り付け反対側の下網に吸盤を取り付けることを特徴とする請求項１記載の食器洗いスポンジ搾リ具。
【請求項３】
下網の開口辺近くと中心部にスポンジ受けを設けたことを特徴とする請求項１〜２のいずれか１項記載の食器洗いスポンジ搾り具。
【発明の詳細な説明】
【技術分野】
【０００１】  本発明は、食器洗いスポンジにしみこんでいる洗剤を取り除くことに関するものである。
【背景技術】
【０００２】  従来、スポンジにしみこんだ洗剤を洗い落とすには、水を流しながら手の平で握り締めて搾り出していた。
【発明の概要】
【発明が解決しょうとする課題】
【０００３】  スポンジを手の平で握り締めて、水を流しながらスポンジを洗っても、洗剤は指の間からしみでるだけで、中芯に洗剤は溜り、なかなか取り除けない。
本発明は、以上の問題点を解決するためになされたものである。
【課題を解決するための手段】
【０００４】  錆びにくい材質の金属又は、プラスチック材等で、上下２枚の網状を形成し、上網と下網を一辺において結合させ、結合部において両網は接着するのではなく、５ミリ程のすき間を持ち、対向辺側は開口状にする。結合部辺近くの上網側に永久磁石を複数取りつけ、反対側の下網に吸盤を取りつける。下網の開口辺近くと中央部にスポンジ受けを設ける。以上の構成よりなる食器洗いスポンジ搾り具。
【発明の効果】
【０００５】  従来、スポンジの洗剤を取り除く搾り具などはなかった。残留した洗剤を含んだスポンジを搾り具に挟み、水を流しながら搾り出すように効率的に取り除くことが出来る。また搾り具のスポンジに熱湯消毒にも便利。非使用時には、磁着式又は吸盤で流し台付近に掛けおくことがき、スポンジは、スポンジ受けに置いておけばひとりでに乾いて衛生的。
【図面の簡単な説明】
【０００６】
【図１】  本発明の使用状態を示す斜視図
【図２】  本発明の裏面の斜視図
【発明を実施するための形態】
【０００７】以下、本発明の実施を説明する。
（イ）上下２枚の網状を形成し、上網（５）と下網（６）を一辺において、結合させ結合部（４）において両網は接着するのではなく、５ミリ程のすき間を持ち、対抗辺側は開口（９）状にする。
（ロ）結合部（４）辺近くの上網（５）側に永久磁石（３）を複数取り付け、反対側の下網（６）に吸盤（７）を取り付ける。下網（６）の開口部（９）辺近くと中央部にスポンジ受け（８）を設ける。
本発明は、以上のような構造である。
【実施例】
【０００８】本発明を使用するときは、搾り具（１）に洗剤入りスポンジ（２）を挟んで水を流しながら、開口部（９）を繰り返し開閉することで、全面から洗剤が取り除ける。非使用時には、永久磁石（３）又は吸盤（７）で流し台付近に掛けて置く。その際には複数のスポンジ受け（８）にスポンジ（２）を置いておけばひとりで乾燥するので経済的である。搾り具（１）の上下の２枚合わせの網の結合（４）は５ミリ程のあそび空間があるので掃除もしやすい。
【符号の説明】
【０００９】（１）搾り具
（２）スポンジ
（３）永久磁石
（４）結合部
（５）上網
（６）下網
（７）吸盤
（８）スポンジ受け
（９）開口部
【図１】
2012024522.tif 000003
【図２】
2012024522.tif 000004
(57)【要約】【課題】赤外線等の光線の乱れを受光することで点滴液の監視管理を可能とする。【解決手段】点滴液を監視する円柱管の中で液が落下する際に、その管を照明している赤外線等の光線の乱れを受光し、その信号を電気信号に置換、タイマー回路を電子スイッチで操作しベッド上のナースコールのスイッチをコントロールする。【選択図】図１
2012024528.tif 000002
【特許請求の範囲】
【請求項１】
赤外線等の光線による点滴注射等監視システム。
【発明の詳細な説明】
【技術分野】
【０００１】  本発明は、点滴注射等の監視・管理が容易な点滴注射等の監視システムに関するものである。
【背景技術】
【０００２】  薬が体内に注射される量は、液を納めた容器と注射針の間にある円柱の管の中で液が落下する状況を目視して管理してきた。しかしながら、赤外線等の光線を利用して点滴注射を監視・管理できることは知られていない。
【発明の開示】
【発明が解決しようとする課題】
【０００３】  そこで、本発明はこのような従来の問題を解決しようとするもので、点滴注射等を監視・管理するシステムを提供することを目的とするものである。【０００４】  本発明は、監視素子装着クリップと、赤外線等の発生素子と赤外線等の検知素子及びタイマー等を備えた点滴注射等監視システムを提供することにより、看護業務の軽減を図るものである。
【課題を解決するための手段】
【０００５】  本発明者は、赤外線等の光線が物質を通過する際に生じる光線の乱れを受光することで、点滴注射等の監視・管理ができることを見出し、本発明を完成するに至った。【０００６】  すなわち本発明は、赤外線等の光線の乱れを受光することで点滴注射等の監視・管理をするシステムを提供する。
【発明の効果】
【０００７】  本発明の点滴注射等監視システムは、点滴液が落下する円柱管内を赤外線等の光線を照明し点滴液が光線を通過する際に光線の乱れを生じさせる。その乱れを受光することにより点滴注射の監視・管理ができるシステムである。
【発明を実施するための最良の形態】
【０００８】  赤外線等の光線が物質を通過する際に生じる光線の乱れを従来の点滴液を監視する円柱管の機能は損なわず最少の部品点数で実現した。
【実施例１】
【０００９】  点滴注射を監視・管理するため、液の落下を確認する円柱管を本装置が付いている図１のクリップではさみ回路を起動させ落下液に光線を照明する。【００１０】  落下する液を赤外線発生素子で光線を照明し、光線が落下液を通過したときに生じる光線の乱れを赤外線検知素子で受光する。【００１１】  赤外線検知素子で受光した光線の乱れは電気信号のパルスに置換し回路に接続されたタイマー回路を制御する。【００１２】  パルス発生回路、タイマー回路、ナースコールスイッチ制御回路はコントロールボックス内に設ける。【００１３】  タイマーは時間を可変できるものとし、点滴液の落下間隔（時間）に対応し点滴液が落下する都度ナースコールスイッチ制御回路をリセットさせ、ナースコールのスイッチをＯＦＦ状態に保つ。【００１４】  パルス信号が無くなればタイマーがリセットされなくなり、その信号がコントロールボックス内の電子スイッチを制御し、ナースコールのスイッチをＯＮにしてブザーを鳴らし異常を知らせる。
【産業上の利用可能性】
【００１５】  点滴治療の際適宜、図２に示すように取り付け、ベッド上のナースコールスイッチを制御することにより点滴注射の監視・管理システムとして利用できる。
【図面の簡単な説明】
【００１６】
【図１】本発明にかかる点滴注射監視センサー部の構成を示す外観図である。
【図２】本発明の構成図である。
【符号の説明】
【００１７】１  赤外線の発生素子
２  赤外線の検知素子
３  クリップ
４  コントロールボックス
【図１】
2012024528.tif 000003
【図２】
2012024528.tif 000004
(57)【要約】【課題】洗濯物を入れるにはカゴがあったが、袋状の物でスタンドに掛けて使うタイプのものが無かった。  本発明は、洗濯物などを入れる際の袋を提供する。【解決手段】柔らかく弾力性のあるソフト樹脂等の特殊繊維素材を、絞り染めの布のようなイボイボ状の絞り模様に加工し、さらに、伸び縮み可能な袋状にし、別に設けた、脚部にキズつき防止のためのカバーの付いた、金具や木工品のＸ字形のスタンド枠の向かい合った上部の先端に引っ掛けて使用し、簡単に収納できることを特徴とする絞り状のランドリー袋。【選択図】図１
2012024523.tif 000002
【特許請求の範囲】
【請求項１】
柔らかく弾力性のあるソフト樹脂等の特殊繊維素材を、絞り染め後の布のような、絞り状の伸び縮み可能な袋状にし、さらに、接続した掴み手を設け、別に、袋を掛けるＸ字形のスタンドを設け、スタンドの脚部にカバーを設けた絞り状のランドリー袋。
【発明の詳細な説明】
【技術分野】
【０００１】  本発明は、使用時にすぐに設置でき、たたんで収納できるＸ字形のスタンドに、掛けて使う、絞り染め状の、洗濯物を入れる袋に関するものである。
【背景技術】
【０００２】  従来、洗濯物を入れるには、一定の大きさで、伸び縮みのしない洗濯カゴを使っていたが、使いたい時だけ設置でき、不使用時、場所を取らずに収納できる伸縮自在な袋状の入れ物が無かった。
【先行技術文献】
【０００３】
【特許文献１】
【発明の概要】
【発明が解決しようとする課題】
【０００４】  狭い場所で、洗濯物を、置きっぱなしになっている一定の大きさの洗濯カゴに入れていたが、使用しない時に、たたんで収納でき、使いたい時に簡単に設置できる、かさ張らない袋状のものが無かった。
本発明は、以上の問題点を解決するためになされたものである。
【課題を解決するための手段】
【０００５】  柔らかく弾力性のあるソフト樹脂等の特殊繊維素材を、絞り染めの布状に伸び縮み可能で、さらに、掴み手を付けた袋状にし、掴み手を、別に設けたＸ字形のスタンドの向かい合った上部の先を、コノ字形に挟むように掛けて使うために、スタンドの先端は横枠より飛び出し、さらに、スタンドの脚部にはキズつき防止のカバーを設ける。
以上の構成よりなる絞り状のランドリー袋である。
【発明の効果】
【０００６】  従来、洗濯カゴを使用せず、袋状の入れ物を使用するのは不可能であったが、本発明を使うことで使用可能にし、不使用時には、たたんで収納でき、使用場所の有効利用にもつながる。  本発明は、洗濯用だけでなく、袋のサイズを変えて、エコバックや収納袋、絞りの先に穴を開け、シンクのゴミ入れにもなる。
【図面の簡単な説明】
【０００７】
【図１】本発明の斜視図
【図２】本発明の使用状態を示す斜視図
【図３】本発明の折りたたみ状態を示す斜視図
【発明を実施するための形態】
【０００８】  以下、本発明の形態を説明する。
（イ）柔らかく弾力性のあるソフト樹脂等の特殊繊維素材を、絞り染めをした布のように、イボイボ状の絞り模様にした袋（１）に、接続した掴み手（２）を設け、別に設けたＸ字形のスタンド（３）に、掴み手（２）を引っ掛けて、スタンド（３）に吊り下げるように、スタンド（３）の上部は横枠より上に飛び出し、脚部には、キズ付き防止のシリコン等のカバー（４）が付いている。
本発明は以上のような構造である。
本発明を使用するときは、折りたたまれているＸ字形のスタンドを開き、カバーが付いている脚を床に立て、スタンドの上部の横枠から上に飛び出している、向かい合った先端をコノ字に挟むように、横枠の上側を通りＸ字形の枠の外側を通過するように、掴み手を掛けて、横枠とＸ字形のスタンドに囲まれた内側に袋が位置するように吊り下げる。
又、袋のサイズを変えて、雨の日用のエコバックやフックに掛けて収納用にも利用でき、絞りの先端に穴を開け、吸盤を付けて台所のシンクのゴミ入れにも利用できる。
【符号の説明】
【０００９】  １  絞り状の袋
２  掴み手
３  Ｘ字形のスタンド
４  脚カバー
５  留め具
【図１】
2012024523.tif 000003
【図２】
2012024523.tif 000004
【図３】
2012024523.tif 000005
(57)【要約】      （修正有）【課題】衣類の着脱作業を円滑化し、洗濯衣料等の乾燥速度を速め、衣類等の品質・形状を維持出来るハンガーを提供するものである。【解決手段】ハンガーを支持する部材をベースから立ち上げて設けることにより、フックを無くしたハンガーを提供するものである。【選択図】図１
2012024542.tif 000002
【特許請求の範囲】
【請求項１】
本発明は、ベースの部材から上部に向かう支持材によりハンガーの片側で支持することによりフックを無くしたハンガーであること。
【請求項２】
ハンガー下部支持部材により一定間隔で固定されるハンガーであること。
【請求項３】
本発明の、ハンガーは支持部材とハンガー本体を樹脂部品などで連結させておき必要な時には分離することが出来るものもあること。
【発明の詳細な説明】
【技術分野】
【０００１】本発明は、衣料等を掛けるためのハンガーからフックを無くしたものを提供するものである。
【背景技術】
【０００２】現状の衣料等に使用するハンガーには、ハンガーを竿等に掛けるためのフックがつけられている。
【先行技術文献】
【特許文献】
【０００３】
【特許文献１】  特許公開  ２００９−２９７４７９
【特許文献２】  特許公開  ２００９−２８５１２９
【特許文献２】  特許公開  ２００９−２８５０５５
【発明の概要】
【発明が解決しようとする課題】
【０００４】本発明は、フック付ハンガーに衣類等を掛ける際に必ず片手にハンガーを持ち支持しなければ衣類等をハンガーに掛けることができない。そのために猛暑季や寒季に洗濯物をハンガーに着脱するなどは、非常に辛い作業となっている。
さらに襟首が狭い衣類では、ハンガーを襟首に通すときには無理やり襟首を広げる必要があり衣類の形状を損ねたり傷めることとなっている。
また、フック付きハンガーでは竿等に掛けた後、風で移動しないようにロック能を付加するとか、竿にピンチを付けるなどの手間とコストが掛かっている。
【課題を解決するための手段】
【０００５】図．１に示すようにハンガーからフックを無くし、同ハンガーを図２に示すように一定の間隔を設けてハンガーを下部で支持するような構造とした。
［選択図］図１，２
【発明の効果】
【０００６】ハンガーは下から支持されているので、ハンガーに衣類等を掛ける際には、ハンガーを持たずに片手で作業が出来るうえ、ハンガーの上部に竿等が無いので衣類をハンガーの上から挿入したり、抜いたりする事が出来るので、襟首の狭い衣類を傷めることなく、作業が楽になる。さらには、下からの支持位置がハンガーの片側に位置しているので、袖がない衣料などは横からの挿入、取出しが可能である。
また、ハンガーは一定の間隔で下の支持部で固定されているので、風などによりハンガーが大きく揺れたり、間隔が狭くなることもなく衣類等の纏わりも無く速く乾く。この効果は、タオルや足拭きマットのようなものでも期待できる。
【図面の簡単な説明】
【０００７】
【図１】本発明のハンガー本体図
【図２】本発明のハンガー使用構造図−１
【図３】本発明のハンガー使用構造図−２
【符号の説明】
【０００８】  １  ハンガー本体
２  ハンガー下部支持部
３  ハンガー支柱
【発明を実施するための形態】
【０００９】本発明は、ハンガーからフックを無くし、ハンガーの片側下に支持材を設けた形状とした。
【００１０】ハンガーを支持する支柱は、ハンガーの片側に位置させて対面のハンガーの支柱との共通の支柱または、それぞれ独立した支持とする。
【産業上の利用可能性】
【００１１】本発明は、図３に示すような回転式の物干し材や、洋服タンスやクローゼットの他衣料品売り場、衣料品物流用等などへの応用が可能で、各使用箇所での作業の効率アップや品質維持に貢献できる。
【図１】
2012024542.tif 000003
【図２】
2012024542.tif 000004
【図３】
2012024542.tif 000005
(57)【要約】【課題】  机上やキッチンなどでロール紙を使うと転がったり水に濡れたりすることがある【解決手段】ロール紙をケースに入れることで転がりや水ぬれを防ぐためのロール紙ケースを作ることである【選択図】図１
2012024541.tif 000002
【特許請求の範囲】
【請求項１】
ロール紙を卓上などに置いて使うときのためのロール紙ケースである
【発明の詳細な説明】
【技術分野】
【０００１】  トイレで使用するロール紙をトイレ以外でも使用するためのロール紙ケースである
【背景分野】
【０００２】これまでロール紙をテーブルなどの上に置いて使うためのケースはなかった
【発明の概要】
【発明が解決しようとする課題】
【０００３】  机上または食卓にロール紙を置いて使う場合、コロコロ転がったり水で濡れたりすることがある
【課題を解決するための手段】
【０００４】ロール紙が転がったり水に濡れたりしないようなケースを作ることである
【発明の効果】
【０００５】  ロール紙を本発明のケースに入れることで安定し、ロール紙を安心して引出し使えるものである
【発明を実施するための最良の形態】
【０００６】  ロール紙がすっぽり入るケースの中央に紙が少なくなってケースの中で倒れないように、ロール紙が収まるような筒状のポールを立て、紙の取り出し口のあるロール紙ケースである
【実施例】
【０００７】  プラスティックやポリ系統の水を通さない材質で作り、中央の筒部に鉛筆やボールペン、はさみなどを立てて使う【０００８】  中央の筒部の底に水を含ませた紙や生け花用のオアシスを入れ一輪の花を飾ることができる【０００９】  紙の取り出し口を避けて、簡単な持ち手をつけるとケースを移動するのが簡単になる【００１０】  ケースに、筒部に穴を開けた蓋をすれば卓上から落ちた時にもロール紙の転がり出るのを防ぐことができる【００１１】取り出し口にギザをつけて紙を切り易くすれば、ミシン目のないロール紙も使えるものとなる
【産業上の利用可能性】
【００１２】  カラフルにすれば事務机や勉強机、食卓、キッチンで使うキッチンタオルなど利用範囲が広いロール紙ケースである
【図面の簡単な説明】
【図１】  ロール紙ケースの本体斜視図である
【図２】  ロール紙ケースの真上面図
【図３】  ロール紙ケースの真下面図
【符号の説明】１  ロール紙を入れるケース部
２  ロール紙を固定するための筒状のポール部
３  ロール紙先端の取り出し口
【図１】
2012024541.tif 000003
【図２】
2012024541.tif 000004
【図３】
2012024541.tif 000005
(57)【要約】【課題】給湯量を正確に表示できる電気ポットを提供する。【解決手段】内容器内のお湯を給湯する給湯ポンプと、当該給湯ポンプを動作させる給湯スイッチを含む複数のスイッチを配設した操作パネルと、内容器内と上部と下部で連結された親水性が高いガラスなどの透明な材質でできた水位検出管の下部又は上部から管内に光を照射し、水位検出管の側面に取り付けたイメージセンサで水位検出管の上端から下端までの明るさを断続的に読み取り、光の強さの分布パターンの移動量から水位の変化量を検出することにより給湯量を検出する給湯量検出手段と、給湯動作中に前記給湯量検出手段で検出した給湯量を表示パネルにデジタル表示又はデジタル表示とバー表示する制御手段とを備える構成とした。【選択図】図１
2012024540.tif 000002
【特許請求の範囲】
【請求項１】
内容器内のお湯を給湯する給湯ポンプと、当該給湯ポンプを動作させる給湯スイッチを含む複数のスイッチを配設した操作パネルと、内容器内と上部と下部で連結された親水性が高いガラスなどの透明な材質でできた水位検出管の下部又は上部から管内に光を照射し、水位検出管の側面に取り付けたイメージセンサで水位検出管の上端から下端までの明るさを断続的に読み取り、光の強さの分布パターンの移動量から水位の変化量を検出することにより給湯量を検出する給湯量検出手段と、給湯動作中に前記給湯量検出手段で検出した給湯量を表示パネルにデジタル表示又はデジタル表示とバー表示する制御手段とを備えることを特徴とする電気ポット。
【発明の詳細な説明】
【技術分野】
【０００１】  この発明は、界面における光の反射を利用した水位測定装置を使用して給湯量を求めて表示する電気ポットに関する。
【背景技術】
【０００２】  従来、電気ポットの給湯量を求める方法としては、給湯のための電動ポンプのモーターの回転数を計測して求めるものがある。（例えば、特許文献１参照。）
また、流量センサにより給湯量を求めるものがある。（例えば、特許文献２参照。）
また、圧力センサにより給湯量を求めるものがある。（例えば、特許文献３参照。）
給湯量の表示は、デジタル表示するものがある。（例えば、特許文献３参照。）
【先行技術文献】
【特許文献】
【０００３】
【特許文献１】  特開平０７−１６３４７０号広報
【特許文献２】  特開２００７−２９６０２８号広報
【特許文献３】  特開２００３−２４２１２号広報
【発明の概要】
【発明が解決しようとする課題】
【０００４】  従来の方法では、給湯量について十分な精度が得られない。【０００５】  本発明は、給湯量を十分な精度をもって表示できる電気ポットを実現することを目的としている。
【課題を解決するための手段】
【０００６】  本発明の電気ポットは、内容器内のお湯を給湯する給湯ポンプと、当該給湯ポンプを動作させる給湯スイッチを含む複数のスイッチを配設した操作パネルと、内容器内と上部と下部で連結された親水性が高いガラスなどの透明な材質でできた水位検出管の下部又は上部から管内に光を照射し、水位検出管の側面に取り付けたイメージセンサで水位検出管の上端から下端までの明るさを断続的に読み取り、光の強さの分布パターンの移動量から水位の変化量を検出することにより給湯量を検出する給湯量検出手段と、給湯動作中に前記給湯量検出手段で検出した給湯量を表示パネルにデジタル表示又はデジタル表示とバー表示する制御手段とを備える構成とした。
【発明の効果】
【０００７】  本発明の電気ポットは、給湯量を精度高く求めることができる。【０００８】  本発明の電気ポットのうち給湯量をバー表示するものにあっては、給湯をやめるタイミングがとりやすく利便性が向上する。
【図面の簡単な説明】
【０００９】
【図１】  本発明の電気ポットの実施例を示す側面断面図
【図２】  本発明の電気ポットの水位検出管の下部の実施例を示す側面断面図
【発明を実施するための形態】
【００１０】  以下、本発明の電気ポットの実施の形態を実施例により説明する。
【実施例１】
【００１１】  図１は、本発明の電気ポットの実施例を示す側面断面図である。【００１２】  給湯スイッチが押されて給湯ポンプ２が作動し、湯が給湯センサ３に達した時点から水位検出管５の水位の測定を開始する。水位の測定を開始してからの水位の変化に基づいて給湯量を求めて表示パネルに表示する。電気ポットの使用者は、その表示を見て適当な時期に給湯を中止する。【００１３】  図２は、本発明の電気ポットの水位検出管の下部の実施例を示す側面断面図である。【００１４】  水位検出管５の下側にある光照射部６から水位検出管５内に照射された光は水と水位検出管５の境界、水位検出管５と空気との境界及び水と空気との境界で屈折・反射し、水位検出管５の外側に出た光はイメージセンサ７で捉えられる。【００１５】  イメージセンサ７で捉えられる光は、水が表面張力により水位検出管５の壁面に沿って引き上げられている部分で強く、それより上側では極端に弱く、下側では緩やかに弱くなっていく。その結果、イメージセンサ７で捉えられる光の強度分布は水面の付近で１つのパターンを示す。そのパターンは水位の変化とともに移動し、移動の量は水位の変化にほぼ等しい。【００１６】  イメージセンサ７からの信号を信号処理回路で処理して上記パターンの移動量を求めて給湯量を求め表示パネルに表示する。
【符号の説明】
【００１７】  １    内容器
２    給湯ポンプ
３    給湯センサ
４    給湯口
５    水位検出管
６    光照射部
７    イメージセンサ
８    湯
９    発光体
１０    水面
１１    光路１
１２    光路２
１３    光路３
１４    光路４
１５    光路５
【図１】
2012024540.tif 000003
【図２】
2012024540.tif 000004
(57)【要約】【課題】  グランドゴルフにおいて、ボール及びマーカーの取り除き及び設置を行う場合、その都度、しゃがまなくてはならない為に、足腰の弱いお年寄りの方には、非常に苦痛であった。以上の不都合を解決する事。【解決手段】  グリップの先端部に、磁石をはめ込んだボール保持具を取付けて、ボールとマーカーの取り除き及び設置を、立ったままで行う事によって、この課題を解決する。【選択図】図１
2012024534.tif 000002
【特許請求の範囲】
【請求項１】
グリップの先端部に、取り外し出来る様にして、しゃがまずに立ったままで、ボールとマーカーの取り除き及び設置が出来る様にしたボール保持具。
【発明の詳細な説明】
【技術分野】
【０００１】  本発明は、磁石をはめ込んだボール保持具を、グリップの先端部に取り外し出来る様に取付ける事により、立ったままで、ボールとマーカーの取り除き及び設置が出来る様にしたものである。
【背景技術】
【０００２】  グリップ取付け式ボール保持具の文献は、見当らない。
【発明の開示】
【発明が解決しようとする課題】
【０００３】  従来の技術においては、グランドゴルフ等において、自分が球を打った後に、後続の人の打った球が衝突しない様に、しゃがんで球を取り除いてマーカーを置き、次に自分が打つ前に、再度、しゃがんでマーカーを取り除き球を置く動作が必要となり、再々、しゃがまなくてはならなかった。よって、足腰の弱いお年寄りの方には、スポーツであっても苦痛であった。以上の不都合を、解決する事を課題とする。【０００４】  これらの課題を解決する為の請求項１の発明は、グリップの先端部に、取り外し出来る様にしたボール保持具を、取付けた事を特徴とする。
【発明の効果】
【０００５】  本発明により、立ったままで、ボールとマーカーの取り除き及び設置が出来る為、しゃがまなくても良いので、足腰の弱いお年寄りの方が、体力的に無理する事が無い。
【発明を実施する為の最良の形態】
【０００６】  図１は、本発明の斜視図である。
【０００７】  図２は、本発明を、グリップ先端部に取付けた時の側面図である。
【０００８】  図３は、本発明で、ボールの取り除き又は設置を行う時の側面図である。
【０００９】  図４は、本発明で、マーカーの取り除き又は設置を行う時の側面図である。
【産業上の利用可能性】
【００１０】  本発明に係るグリップ取付け式ボール保持具は、工業的に量産する事が可能である為、産業上の利用可能性を有する。
【図面の簡単な説明】
【００１１】
【図１】  本発明の斜視図である。
【図２】  本発明を、グリップ先端部に取付けた時の側面図である。
【図３】  本発明で、ボールの取り除き又は設置を行う時の側面図である。
【図４】  本発明で、マーカーの取り除き又は設置を行う時の側面図である。
【符号の説明】
【００１２】１        ボール保持具
２        ボール受け部
３        グリップはめ込み部
４        磁石
５        シャフト
６        ボール
７        マーカー（スチールマーカー）
８        芝
９        ヘッド
【図１】
2012024534.tif 000003
【図２】
2012024534.tif 000004
【図３】
2012024534.tif 000005
【図４】
2012024534.tif 000006
(57)【要約】【課題】ネクタイを棒状のネクタイ掛けに掛けると、ネクタイを取り出すときにネクタイ同士が引っかかり滑り落ちる。また、重なったネクタイは、全体像が見えなくなり、ネクタイを一目で探せない。丸めて収納するものは、丸める作業に手間がかかる。ハンガー式は、ハンガーが揺れるのでネクタイを掛けるときに不安定である。  本発明は、磁石付ネクタイ掛け具を提供する。【解決手段】ネクタイ掛け具の背面部水平方向両端に磁石を取り付ける。磁石と磁石の間にはネクタイが固定されるほどの隙間を設ける。隙間にネクタイを通し、ネクタイ掛け具にネクタイを掛け、鉄板に接着する。【選択図】図１
2012024535.tif 000002
【特許請求の範囲】
【請求項１】
磁石付ネクタイ掛け具
【発明の詳細な説明】
【技術分野】
【０００１】  本発明は、磁石付ネクタイ掛け具に関するものである。
【背景技術】
【０００２】  従来、ネクタイを収納するためには、棒状のネクタイ掛けに掛けるもの、丸めて収納するもの、ハンガー式で掛けるもの（特許文献１・特許文献２・特許文献３参照）を用いた。
【先行技術文献】
【０００３】
【特許文献１】特開２０１０−６９１８３号公報
【０００４】
【特許文献２】特開２００７−６１１５８号公報
【０００５】
【特許文献３】特開２００５−１９８９９３号公報
【発明の概要】
【発明が解決しようとする課題】
【０００６】  ネクタイを棒状のネクタイ掛けに掛けると、ネクタイを取り出すときにネクタイ同士が引っかかり滑り落ちる。また、重なったネクタイは、全体像が見えなくなり、ネクタイを一目で探せない。丸めて収納するものは、丸める作業に手間がかかる。ハンガー式は、ハンガーが揺れるのでネクタイを掛けるときに不安定である。
本発明は、以上の問題点を解決するためになされたものである。
【課題を解決するための手段】
【０００７】  ネクタイ掛け具の背面部水平方向両端に磁石を取り付ける。磁石と磁石の間にはネクタイが固定されるほどの隙間を設ける。
以上の構成よりなる磁石付ネクタイ掛け具。
【発明の効果】
【０００８】  ネクタイを収納したままネクタイの全体像が見え、ネクタイを一目で探すことが出来る。ネクタイを収納する手間を省き、ネクタイを取り出すときにネクタイ同士が引っかかり滑り落ちることがない。鉄板のあるところ、どこにでもネクタイを固定して掛けることが出来る。
【図面の簡単な説明】
【０００９】
【図１】本発明の使用状態を示す斜視図
【発明を実施するための形態】
【００１０】  ネクタイ掛け具（２）の背面部水平方向両端に磁石（１）を取り付け、磁石（１）と磁石（１）の間にはネクタイが固定される程度の隙間を設ける。隙間にネクタイを通し、磁石（１）付ネクタイ掛け具（２）にネクタイを掛け、鉄板（３）に接着する。ネクタイ一本に対して、磁石（１）付ネクタイ掛け具（２）は一個用いる。
【符号の説明】
【００１１】  １磁石、２ネクタイ掛け具、３鉄板
【図１】
2012024535.tif 000003